(57)【要約】【課題】  本体の側面とベースとに、配管導出部を設けた場合においても、ノックアウト部から、凝縮水が漏洩することを防止できる室外機を提供することを目的とする。【解決手段】  ノックアウト部１８を備えた配管導出部リブ１７が、ベース２上に形成された凝縮水の案内リブより高く形成されていることにより、ベース２上に貯留された大量の凝縮水は、配管導出部リブ１７まで達することなく、メイン排出孔２２ａあるいはサブ排出口２３を介して外部に排出される。【選択図】図４
2011133159.tif 000002
【特許請求の範囲】
【請求項１】
本体のベース上を仕切板により機械室と熱交換器室とに区画し、前記機械室に圧縮機を、前記熱交換器室に熱交換器と送風ファンとを配置し、本体の側面と前記ベースとに、配管導出部を設けてなる空気調和機の室外機において、
前記ベースに、配管導出部リブを設けるとともに、同配管導出部リブに、配管導出部としてのノックアウト部を設ける一方、前記ベース上に凝縮水を排出口に導びく案内リブを設けてなり、前記配管導出部リブが前記案内リブより高く形成されてなることを特徴とする空気調和機の室外機。
【請求項２】
前記案内リブと前記配管導出部リブとが、段差を介して連続的に形成されてなることを特徴とする請求項1に記載の空気調和機の室外機。
【発明の詳細な説明】
【技術分野】
【０００１】
本発明は、空気調和機の室外機に関わり、より詳細には、凝縮水の漏洩防止に関するものである。
【背景技術】
【０００２】
従来の空気調和機の室外機は、例えば、特許文献１に開示されているように、本体内のベース上を仕切板により機械室と熱交換器室とに区画し、機械室には、冷凍サイクルを構成する、冷媒を圧縮し配管を介して吐出する圧縮機が設置され、その上部には制御基板などを有する電気部品が取り付けられるようになっている。熱交換器室には、熱交換器と、同熱交換器で熱交換された空気を外部に排出するファンが設けられている。また、ベースの一側には、室外機と、室内機とを接続する配管が導出される、打ち抜き可能なノックアウト部が設けられている（特許文献１参照）。
【０００３】
本体の背面から吸込まれた屋外の空気は、熱交換器内を流れる冷媒と熱交換し、熱交換された空気は、ファンにより本体前面の吹出口から外部に排出されるようになっている。熱交換器で熱交換された冷媒は、ノックアウト部から導出される配管により室内機へと循環され、循環された冷媒により室内機は冷暖房運転を行うようになっている。また、熱交換器上に凝縮した凝縮水はベース上に滴下して排出管により外部に排出されるようになっている。
【０００４】
ベース上にはネジ穴や部品取付けの開口部などを含む板金切断面や、上記したノックアウト切断面および曲げや絞りを含むプレス成形加工部が存在している。また、ベース外周はフランジが設けられた凹形状であるため、熱交換器から発生するドレン水や外部から進入する雨水などに触れやすく、これらの水を外部へ排出するための排出孔が最も水による腐食の影響を受けやすいので、ベース材質として高耐食性溶融メッキ鋼板が使用されるようになっている。
【０００５】
上記した室外機には、本体の側面に配管導出部が設けられるとともに、ベースにも配管を導出するノックアウト部が設けられているが、ノックアウト部が除去され配管導出部として使用された場合、除去された開口部から凝縮水が漏洩する虞があった。更に、本体の側面が配管導出部として用いられベースのノックアウト部が除去されない場合においても、ベース上に貯留された凝縮水がノックアウト部のミシン目部分から、外部に漏洩することがあり、ベースのノックアウト部が除去された場合、あるいは除去されない場合においても、対応が求められていた。
【先行技術文献】
【特許文献】
【０００６】
【特許文献１】特開２００４−６９１６１号（３頁、図３）
【発明の概要】
【発明が解決しようとする課題】
【０００７】
本発明は、上記問題点に鑑み、本体の側面とベースとに、配管導出部を設けた両者併用の場合、ベース上に滴下した凝縮水がベースのノックアウト部の開口部あるいはミシン目部分から漏洩することを防止できる室外機を提供することを目的とする。
【課題を解決するための手段】
【０００８】
本発明は、上記課題を解決するため、本体のベース上を仕切板により機械室と熱交換器室とに区画し、前記機械室に圧縮機を、前記熱交換器室に熱交換器と送風ファンとを配置し、本体の側面と前記ベースとに、配管導出部を設けてなる空気調和機の室外機において、前記ベースに、配管導出部リブを設けるとともに、同配管導出部リブに、配管導出部としてのノックアウト部を設ける一方、前記ベース上に凝縮水を排出口に導びく案内リブを設けてなり、前記配管導出部リブが前記案内リブより高く形成されてなる構成となっている。
【０００９】
前記案内リブと前記配管導出部リブとが、段差を介して連続的に形成されてなる構成となっている。
【発明の効果】
【００１０】
請求項１の発明によれば、ベースの配管導出部リブは、ベース上に形成された凝縮水の案内リブより高く形成されていることにより、ベースのノックアウト部が除去され本体の下部から配管が導出された場合、もしくは本体の側面を配管導出部として使用し、ベースのノックアウト部が除去されない場合においても、ベース上に貯留された凝縮水は、配管導出部リブまで達することなく、メイン排出孔あるいはサブ排出口を介して外部に排出されることになり、これにより、本体下部の配管導出部からの凝縮水の漏洩を的確に防止することができる空気調和機の室外機となっている。
【００１１】
請求項２の発明によれば、段差が、凝縮水をベース中央部に押し返すことにより、配管導出部リブに凝縮水が達しない構成となっている。
【図面の簡単な説明】
【００１２】
【図１】本発明による空気調和機の室外機の外観斜視図である。
【図２】本発明による空気調和機の室外機の分解斜視図である。
【図３】ベースの斜視図及び平面図である。
【図４】ベースの部分斜視図である。
【図５】ベースから配管が導出された状態を示す斜視図である。
【発明を実施するための形態】
【００１３】
以下、本発明の実施の形態を、添付図面に基づいた実施例として詳細に説明する。尚、室外機本体の左右方向は、室外機本体から前方に向かって見たときの方向とする。
【実施例１】
【００１４】
本発明による空気調和機の室外機は、図１の外観斜視図で示すように、下面に左右一対の脚体２ａを備え、周囲に後述するフランジ２ｂを備えた平板状の板金からなるベース２と、同ベース２の前面側に立設され、格子状の吹出口３ａを備えた前面パネル３と、前記ベース１の右側に立設される後述する右側面パネル５と、前記ベース１の左側に立設される後述する左側面パネル６と、これらの上面に被着される板金からなる天板４とで本体１を構成しており、同本体１の後面１ａと右側面パネル５の側面吸込口とは外気の吸込口となっている。また、前面パネル３の左側下部には、配管を導出するノックアウト部１ｃが設けられ、折曲部にもノックアウト部１ｂが設けられている。ノックアウト部１ｃあるいはノックアウト部１ｂから導出された配管は、図示しない室内機に接続され、配管内を流れる冷媒により室内機は冷暖房運転を行うようになっている。尚、ベース２にも、配管を本体１下部から導出できるように、後述するノックアウト部１８が設けられている。
【００１５】
次に、全体構成について説明する。図２の分解斜視図で示すように、前記ベース２上は、仕切板７により左右に区画され、区画された一方に機械室８が、区画された他方に熱交換器室９が設けられている。機械室８には圧縮機１０が配設されるとともに、室内機に連なる配管が接続される操作弁１０ａが設けられ、その上方には、制御基板を収納し、電装品カバー１６ａが被着される電装品箱１６が設けられている。
【００１６】
前記熱交換器室９には、平行して並べられた多数のフィンと、同フィンに直交するように配設された伝熱管とからなり、Ｌ字状に折曲された熱交換器１１が設けられ、また、前記熱交換器１１で支持されるファンモータ取付台１２が設けられ、同ファンモータ取付台１２には、送風ファンとしてのプロペラファン１４を軸支したファンモータ１３が装着されている。また、上記した前面パネル３の吹出口３ａの裏面には、プロペラファン１４を保護する円環状のファンリング１５が設けられるようになっている。
【００１７】
上記した右側面パネル５は、格子状に形成された複数の側面吸込口を備え、外側には把手を形成している。左側面パネル６には、図示しない端子台が設けられ、端子台には配線を導出する端子台カバーが被着されるようになっている。
【００１８】
ファンモータ１３によりプロペラファン１４が駆動されると、室外の空気は本体１の背面１ａ及び右側面パネル５の側面吸込口から吸入され熱交換器１１を通過することにより熱交換器１１内を流れる冷媒と熱交換し、熱交換された空気は前面パネル３の吹出口３ａから再び室外に排出されるようになっている。熱交換器１１を通過して熱交換された冷媒は、図示しない室内機との間で循環を行うようになっている。
【００１９】
上記したように、本体１の側面には、配管を導出するノックアウト部１ｃあるいはノックアウト部１ｂが設けられているが、本体１が、ベランダ等に吊下金具を使用して掛架設置された際、室内機に接続される配管は本体１下部から導出できるようベース２に設けられたノックアウト部１８から導出されるようになっている。
【００２０】
ベース２は、図３（Ａ）の斜視図及び図３（Ｂ）の平面図で示すように、平板状の鋼板をプレス加工成型して形成され、周囲にはフランジ２ｂが立設されている。ベース２の中央部左方には、上記した圧縮機１０を固定するための、螺子孔を穿設した円錐台形状のボス２０が三箇所、突起部として形成されており、中央部右方には、上記したファンモータ取付台１２を固定するための、螺子孔を穿設した断面台形状のリブ２１が一対となって前後方向に形成され、また、同リブ２１
及びボス２０を補強するための補強リブ２５が左右方向に、リブ２１と連続となるように形成されている。また、ボス２０とリブ２１との間には、凝縮水を後述するメイン排出孔２２に導びくための、リブ２１より低い幅広状の中央案内リブ２７が設けられ、ベース２の右方には、帯状の右方案内リブ２８が設けられている。
【００２１】
中央部後方には、ベース２上に滴下した凝縮水を排出するメイン排出孔２２が、ベース２の底面部より低くなるように段差を介して穿設され、また、ベース２の底面部は、メイン排出孔２２に向かい緩い傾斜面となるように形成されている。熱交換器１１からベース２上に滴下した凝縮水は、通常時は、上記した中央案内リブ２７、右方案内リブ２８及びリブ２１にガイドされて、実線矢印で示すように、メイン排出孔２２に向かい流れていくようになっている。
【００２２】
また、上記した熱交換器１１の下方には、熱交換器１１の除霜運転時や、暖房運転時において、熱交換器１１から大量に滴下する凝縮水に対応するため、複数のサブ排出口２３が穿設されている。また、同サブ排出口２３は、設置地域等の条件に応じて、不要となる排出口はキャップ等により遮蔽されるようになっている。
【００２３】
また、補強リブ２５の前部であってベース２の前縁部には、補強リブ２５よりやや低い前縁リブ２４が設けられ、ベース２の左側には、後述する配管導出部リブ１７に連続して側縁リブ２６が設けられている。
【００２４】
室内機と接続される配管が導出される配管導出部リブ１７は、図４（Ａ）及び図４（Ｂ）の拡大斜視図で示すように、前縁リブ２４及び側縁リブ２６に連続して形成され、前縁リブ２４より高くなるように段差２４ａを介して設けられるとともに、側縁リブ２６よりも高くなるように、段差２６ａを介して設けられている。尚、前縁リブ２４上に溜まった凝縮水は、図４（Ａ）の矢印で示すように、段差２４ａにより迂回してベース２の底面部に流れるようになっている。
【００２５】
同配管導出部１７リブにはミシン目１９により接続されたノックアウト部１８が設けられており、上記したように、本体がベランダ等に吊下金具を使用して掛架設置された際、ミシン目１９を切断してノックアウト部１８が除去され、図５の斜視図で示すように、除去された開口部１８ａから、配管２９が導出されるようになっている。
【００２６】
除霜運転時や、暖房運転時においては熱交換器１１から大量の凝縮水がベース２上に滴下し、上記したサブ排出口２３を用いても、凝縮水の排出が充分に行えないことがあり、そのような場合、ベース２の前縁リブ２４及び左側リブ２６の高さまで凝縮水は達するようになる。
【００２７】
上記したような場合、配管導出部リブ１７の高さまで凝縮水が達し、ノックアウト部１８が除去され配管導出部として使用された場合、除去された開口部から凝縮水が漏洩する虞があり、また、本体１の側面が配管導出部として用いられベース２のノックアウト部１８が除去されない場合においても、ノックアウト部１８を接続するミシン目１９から凝縮水が漏洩する虞が生じるが、ノックアウト部１８を備えた配管導出部リブ１７が、これに連続して形成された前縁リブ２４及び左側リブ２６より、段差２４ａ及び段差２６ａを介して高く形成されていることにより、凝縮水は、図３（Ｂ）に破線矢印で示すように、段差２４ａ及び段差２６ａによりベース２の中央部方向に押し返され、また、中央案内リブ２７あるいは帯状の右方案内リブ２８等のやや低く形成されたリブを、破線矢印で示すように、乗り越えてメイン排出孔２２ａあるいはサブ排出口２３に向かうようになっている。
【００２８】
凝縮水が大量に発生した場合においても、ノックアウト部１８が前縁リブ２４及び左側リブ２６より、段差２４ａ及び段差２６ａを介して高く形成されていることにより、凝縮水は、ベース２の中央部方向に押し返され、メイン排出孔２２を介して外部に排出されることになり、これにより、ミシン目１９からの凝縮水の漏洩を防止することができ、本体１下部からの水の漏洩等の不具合を的確に防ぐことのできる空気調和機の室外機となっている。
【符号の説明】
【００２９】
１  本体
１ａ  本体背面  
２  ベース
２ａ  脚体
３  前面パネル
３ａ  吹出口
４  天板
５  右側面パネル
６  左側面パネル
７  仕切板
８  機械室
９  熱交換器室
１０  圧縮機
１０ａ  操作弁
１１  熱交換器
１２  ファンモータ取付台
１３  ファンモータ
１４  プロペラファン
１５  ファンリング
１６  電装品箱
１６ａ  電装品カバー
１７  配管導出部リブ
１８  ノックアウト部
１９  ミシン目
２０  ボス
２１  リブ
２２  ボス
２２ａ  メイン排出孔
２３  サブ排出口
２４  前縁リブ
２４ａ  段差
２５  補強リブ
２６  側縁リブ
２６ａ  段差
２７  中央案内リブ
２８  右方案内リブ
【図１】
2011133159.tif 000003
【図２】
2011133159.tif 000004
【図３】
2011133159.tif 000005
【図４】
2011133159.tif 000006
【図５】
2011133159.tif 000007